(57)【特許請求の範囲】
【請求項１】
燃料供給路を開閉する電磁弁と、該電磁弁を電源に導通させるべくオン動作可能であるとともにオフ動作時に前記電磁弁を電源から遮断するスイッチング回路と、該スイッチング回路の制御端子に接続されるとともに前記スイッチング回路をオン動作させるための制御電圧を保持可能な平滑コンデンサと、第１及び第２の出力端子を有するとともに前記第１の出力端子からパルス信号を出力制御可能な制御部と、前記第１の出力端子と前記平滑コンデンサとの間に設けられた微分回路とを備え、該微分回路は前記平滑コンデンサに対して直列に接続されるカップリングコンデンサを有し、前記第１の出力端子からパルス信号が出力されているときは前記微分回路を介して前記平滑コンデンサにパルス状に電流供給を行うことにより前記平滑コンデンサが充電され、前記第１の出力端子からパルス信号が出力されていないときは前記微分回路の前記カップリングコンデンサによって前記第１の出力端子から前記平滑コンデンサへの電流供給が遮断される燃焼機器において、
前記制御部の前記第２の出力端子から強制オフ指令が出力されると前記平滑コンデンサを接地させる放電回路をさらに備え、前記制御部は、前記カップリングコンデンサの短絡故障診断処理を実行可能に構成され、
該短絡故障診断処理は、前記第１の出力端子から直流信号を出力しつつ前記第２の出力端子から強制オフ指令を出力した後、前記第１の出力端子からの直流信号出力を維持しつつ前記第２の出力端子からの強制オフ指令出力を停止した場合に、前記スイッチング回路がオン動作すると前記カップリングコンデンサの短絡故障であると診断するよう構成されていることを特徴とする燃焼機器。
【請求項２】
請求項１に記載の燃焼機器において、前記制御部は、所定の電源断条件の成立により自らの電源断処理を行うよう構成され、前記短絡故障診断処理は、前記電源断処理中に実行されるよう構成されていることを特徴とする燃焼機器。
【請求項３】
請求項１又は２に記載の燃焼機器において、前記制御部は、電源投入時の起動処理中に前記短絡故障診断処理を実行するよう構成されていることを特徴とする燃焼機器。
【発明の詳細な説明】
【技術分野】
【０００１】
本発明は、電磁安全弁や元ガス電磁弁などの電磁弁を備えるガスコンロやガス瞬間湯沸器などの燃焼機器に関し、特に電池を電源とする電池式燃焼機器に好適に採用可能なものに関する。
【背景技術】
【０００２】
従来より、例えば下記の特許文献１に開示されているように、電池式ガスコンロなどの燃焼機器においては、動作制御を行うマイクロコンピュータの暴走時に電磁弁が自動的に閉じるように、マイクロコンピュータからパルス波形のウォッチドッグ信号を電磁弁駆動回路に出力させている。該駆動回路は、ウォッチドッグ信号をＲＣ直列微分回路を介して半導体スイッチング素子の制御端子（バイポーラトランジスタの場合はベース）に出力することにより、ウォッチドッグ信号が正常に出力されている場合にのみ電磁弁を電源電池に導通させ、マイクロコンピュータの暴走によってウォッチドック信号がＨｉｇｈ固定、若しくは、Ｌｏｗ固定となった場合には電磁弁を電源から遮断するよう構成されている。
【先行技術文献】
【特許文献】
【０００３】
【特許文献１】特開平８−２７０８２２号公報
【発明の概要】
【発明が解決しようとする課題】
【０００４】
上記従来の技術では、微分回路を構成するカップリングコンデンサ（１９）の短絡故障が考慮されておらず、該コンデンサが短絡故障した場合にマイクロコンピュータが暴走すると、電磁弁が電源に導通されて開弁された状態で制御不能となってしまう可能性がある。
【０００５】
図３は、微分回路を構成するコンデンサの短絡故障診断を行える燃焼機器における電磁弁Ｌの駆動回路の概略構成を示している。該燃焼機器は、ガスバーナなどの燃焼部への燃料供給路を開閉する電磁弁Ｌと、該電磁弁Ｌの開閉動作を制御する制御部としてのマイクロコンピュータ１と、該マイクロコンピュータ１からの制御指令に応じて電磁弁Ｌに駆動電圧を出力する駆動回路２とを備えている。
【０００６】
マイクロコンピュータ１は、パルス波形のウォッチドッグ信号を出力制御可能なウォッチドッグ信号出力端子（第１の出力端子）と、電磁弁オン指令を出力制御可能な電磁弁オン出力端子と、電磁弁Ｌに対して駆動電圧が出力されているか否かを確認するための電磁弁チェック入力端子とを備えている。
【０００７】
駆動回路２は、電磁弁Ｌを電源Ｖに導通させるべくオン動作可能であるとともにオフ動作時に電磁弁Ｌを電源から遮断する第１及び第２のスイッチング回路Ｓ１，Ｓ２を備えており、これら第１及び第２のスイッチング回路Ｓ１，Ｓ２は電源Ｖと電磁弁Ｌとの間で直列に接続され、両スイッチング回路Ｓ１，Ｓ２がオン動作した場合にのみ電磁弁Ｌが電源Ｖに導通されて電源電圧に基づく駆動電圧が電磁弁Ｌに供給され、いずれかのスイッチング回路Ｓ１，Ｓ２がオフ動作しているときは電磁弁Ｌが電源Ｖから遮断されて電磁弁Ｌに駆動電圧が出力されないように構成されている。
【０００８】
第１のスイッチング回路Ｓ１は、２つの半導体スイッチング素子Ｑ１，Ｑ２により主構成されており、一方のスイッチング素子Ｑ１は電源Ｖから電磁弁Ｌへの電源供給路の途中に設けられたｐｎｐ型トランジスタにより構成されている。このスイッチング素子Ｑ１のエミッタが電源Ｖ側に接続され、コレクタが電磁弁Ｌ側に接続されている。スイッチング素子Ｑ１のエミッタとベースとは抵抗Ｒ１を介して接続されている。
【０００９】
別のスイッチング素子Ｑ２は、そのコレクタがベース抵抗Ｒ２を介してスイッチング素子Ｑ１のベースに接続されたｎｐｎ型トランジスタにより構成されている。このスイッチング素子Ｑ２のエミッタ（接地端子）はグラウンドに接地されており、スイッチング素子Ｑ２のベースが、第１のスイッチング回路Ｓ１の制御端子３となる。
【００１０】
この制御端子３には、スイッチング素子Ｑ２をオン動作させるための制御電圧を保持可能な平滑コンデンサＣ１がベース抵抗Ｒ３を介して接続されており、該平滑コンデンサＣ１の負側端子はグラウンドに接地されている。平滑コンデンサＣ１とマイクロコンピュータ１のウォッチドッグ信号出力端子とは、ＲＣ直列微分回路４を介して接続されており、これによりウォッチドッグ信号出力端子からパルス波形のウォッチドッグ信号が出力されているときに微分回路４を介して平滑コンデンサＣ１にパルス状に電流供給を行うことにより平滑コンデンサＣ１が上記制御電圧以上に充電され、スイッチング素子Ｑ２及びＱ１が順次オン動作するようになっている。一方、ウォッチドッグ信号出力端子からパルス信号ではない直流信号が出力されているときは、微分回路４を構成するカップリングコンデンサＣ２によってウォッチドッグ信号出力端子から平滑コンデンサＣ１への電流供給が遮断され、平滑コンデンサＣ１の放電によってスイッチング素子Ｑ２及びＱ１が順次オフ動作するようになっている。
【００１１】
なお、微分回路４の出力部とグラウンドとの間には負電圧をカットするダイオードＤ１が設けられ、微分回路４の出力部と平滑コンデンサＣ１の間には逆流防止ダイオードＤ２が設けられている。
【００１２】
また、平滑コンデンサＣ１と、微分回路４のカップリングコンデンサＣ２とは、同程度の容量とされ、これらコンデンサＣ１，Ｃ２に電荷が蓄積されていない状態でウォッチドッグ信号出力端子から微分回路４に直流信号を出力されると、これらコンデンサＣ１，Ｃ２間の電荷の移動によって両コンデンサＣ１，Ｃ２がほぼ同電位まで充電されるようになっており、このとき、平滑コンデンサＣ１は、スイッチング素子Ｑ２をオン動作させるに十分な電圧まで一時的に充電されるようになっている。直流信号の出力が継続されている間、微分回路４のカップリングコンデンサＣ２は満充電された状態が維持されるが、カップリングコンデンサＣ２が満充電されて以降は両コンデンサＣ１，Ｃ２間の電荷の移動が無くなるために、平滑コンデンサＣ１に蓄積された電荷が主としてスイッチング素子Ｑ２のベース−エミッタ間抵抗成分を介して徐々に放電していき、数秒程度で平滑コンデンサＣ１の両端電圧がスイッチング素子Ｑ２をオフ動作させる程度まで降下する。
【００１３】
上記第２のスイッチング回路Ｓ２は、一つの半導体スイッチング素子Ｑ３により主構成されている。このスイッチング素子Ｑ３は、ｐｎｐ型トランジスタにより構成され、電源Ｖと電磁弁Ｌとの間で上記スイッチング素子Ｑ１と直列に接続されている。すなわち、スイッチング素子Ｑ３のエミッタがスイッチング素子Ｑ１のコレクタに接続され、スイッチング素子Ｑ３のコレクタが電磁弁Ｌ側に接続されている。スイッチング素子Ｑ３のエミッタとベースとは抵抗Ｒ４を介して接続され、スイッチング素子Ｑ３のベースはベース抵抗Ｒ５を介してマイクロコンピュータ１の電磁弁オン出力端子に接続されている。電磁弁オン出力端子は、図示例ではオープンコレクタ出力端子により構成され、オープン出力時はスイッチング素子Ｑ３がオフ動作し、電磁弁Ｌを開動作させるときに電磁弁オン指令信号としてＬｏｗ信号出力を行うことによってスイッチング素子Ｑ３がオン動作する。
【００１４】
上記スイッチング素子Ｑ１，Ｑ２，Ｑ３がすべてオン動作すると、電磁弁Ｌがスイッチング素子Ｑ１，Ｑ３を介して電源Ｖに導通されて、スイッチング素子Ｑ３のコレクタ出力から電磁弁Ｌの駆動電圧が出力される。スイッチング素子Ｑ３のスイッチングによる逆起電力をカットするために、スイッチング素子Ｑ３のコレクタ出力には負電圧カット用のダイオードＤ３が接続されている。
【００１５】
また、スイッチング素子Ｑ１，Ｑ２，Ｑ３が正常動作しているか否かを確認するために、スイッチング素子Ｑ３のコレクタ出力（すなわち、上記駆動回路２の電磁弁駆動電圧出力部）には、駆動電圧監視回路５が設けられている。図示例の監視回路５は、エミッタ接地されたｐｎｐ型トランジスタからなる半導体スイッチング素子Ｑ４によって主構成され、該スイッチング素子Ｑ４のベースがベース抵抗Ｒ６を介してスイッチング素子Ｑ３のコレクタ出力に接続され、スイッチング素子Ｑ４のベースとエミッタとは抵抗Ｒ７を介して接続されている。スイッチング素子Ｑ４のコレクタは負荷抵抗Ｒ８を介して電源Ｖに接続され、負荷抵抗Ｒ８とスイッチング素子Ｑ４との接続点６がマイクロコンピュータ１の電磁弁チェック入力端子に接続されている。電磁弁Ｌに出力される駆動電圧が電磁弁Ｌを開動作させる（電磁弁Ｌが保持弁などの場合には開状態で保持させる）に十分な電圧である場合は、該駆動電圧によってスイッチング素子Ｑ４がオン動作して接続点６を接地させ、電磁弁チェック入力端子にＬｏｗ信号が入力される。一方、駆動電圧が不十分である場合には、スイッチング素子Ｑ４がオフ動作して接続点６がプルアップされ、Ｈｉｇｈ信号が電磁弁チェック入力端子に入力されるようになっている。そして、マイクロコンピュータ１は、電磁弁Ｌを開動作させるためにウォッチドッグ信号としてパルス信号をウォッチドッグ信号出力端子から出力するとともに電磁弁オン出力端子から電磁弁オン指令信号としてＬｏｗ信号出力を行っているにもかかわらず電磁弁チェック入力端子からＨｉｇｈ信号が入力されているときは、何らかの故障乃至不具合が生じたものと判定してウォッチドッグ信号並びに電磁弁オン指令信号の出力を停止し、所定のエラー処理を行うよう構成されている。
【００１６】
なお、スイッチング素子Ｑ３のコレクタ出力を直接、若しくは、分圧回路によって分圧された電圧をマイクロコンピュータ１のＡ／Ｄ入力ポートに入力させることにより、電磁弁Ｌに出力される駆動電圧を監視させることもできる。
【００１７】
また、マイクロコンピュータ１は、電源断処理時に、微分回路４を構成するカップリングコンデンサＣ２の短絡故障診断を行うように構成されている。この短絡故障診断について以下説明すると、電源断処理前にウォッチドッグ信号出力端子の出力がＬｏｗ状態を数秒程度継続していれば、図４に示すように、上記平滑コンデンサＣ１並びにカップリングコンデンサＣ２は自然放電によって殆ど電荷が帯電していない状態となる。
【００１８】
この状態でユーザーによる電源オフ操作がなされるか、或いは、所定時間放置による自己電源断制御により電源断処理が開始すると、マイクロコンピュータ１はウォッチドッグ信号出力端子からＨｉｇｈ信号、すなわち直流信号を出力する。
【００１９】
すると、微分回路４のカップリングコンデンサＣ２及び平滑コンデンサＣ１が数十ミリ秒程度で満充電され、これによりスイッチング素子Ｑ２，Ｑ１がいずれもオン動作して、スイッチング素子Ｑ３をもオン動作制御することによって電磁弁チェック入力端子の入力信号がＬｏｗ信号となる。なお、このとき電磁弁Ｌが開動作するが、電磁弁Ｌと直列に接続された他の電磁弁若しくは手動弁を閉じておくことによりガス漏れが生じることがないようにしている。
【００２０】
このままウォッチドッグ信号出力端子からＨｉｇｈ信号を持続的に出力すると、カップリングコンデンサＣ２に短絡故障が生じていなければ、カップリングコンデンサＣ２が満充電されていることからカップリングコンデンサＣ２から平滑コンデンサＣ１への電荷の移動が無い一方で、平滑コンデンサＣ１に充電された電荷はスイッチング素子Ｑ２の抵抗成分を介して徐々に放電していき、数秒後には平滑コンデンサＣ１の両端電圧がスイッチング素子Ｑ２の駆動必要電圧よりも低くなって、スイッチング素子Ｑ２がオフ動作するとともに、スイッチング素子Ｑ１がオフ動作することで、電磁弁チェック入力端子の入力信号がＨｉｇｈ信号となる。このＨｉｇｈ信号入力を検出することによりカップリングコンデンサＣ２の短絡故障は無いと診断して、短絡故障診断を正常終了し、その後電源をオフにする。
【００２１】
一方、カップリングコンデンサＣ２が短絡故障している場合は、図４に点線で示すように、ウォッチドッグ信号出力端子から平滑コンデンサＣ１への電荷の供給がなされることとなって、時間経過によっても平滑コンデンサＣ１の両端電圧が降下せず、したがって、スイッチング素子Ｑ１，Ｑ２がいつまでもオフ動作しないこととなる。この場合、正常であればスイッチング素子Ｑ１，Ｑ２がオフ動作するまでの判定規定時間を経過してもオフ動作しない場合に、カップリングコンデンサＣ２の短絡故障が発生したと判定して、所定のエラー報知を行うとともに、重大なエラー発生として不揮発性メモリに記憶するなどの所定の処理を行わせることができる。
【００２２】
以上の構成によればカップリングコンデンサＣ２の短絡故障診断を行うことができるが、短絡故障であると判定するまでに平滑コンデンサＣ１の放電を待つ必要があり、そのために短絡故障診断に数秒程度（例えば３〜５秒程度）の時間を要する。電源として電池を採用する電池式ガスコンロなどの燃焼機器においては、電源断処理の度ごとに数秒程度の上記短絡故障診断を行うと、診断終了まで電源をオフすることができず、その間マイクロコンピュータ１などにおいて待機電力を消耗するとともに、上記短絡故障診断処理自体も電力を消耗し、電池寿命に影響を生じていた。
【００２３】
そこで、本発明は、微分回路を介してウォッチドッグパルスによって平滑コンデンサを充電して、該平滑コンデンサが保持する制御電圧によって電磁弁を電源に導通させるスイッチング回路をオン動作させることでマイクロコンピュータの暴走時に電磁弁を自動的に閉動作させるように構成された燃焼機器において、上記微分回路のカップリングコンデンサの短絡故障診断処理を短時間で行うことのできる燃焼機器を提供することを目的とする。
【課題を解決するための手段】
【００２４】
本発明は、燃料供給路を開閉する電磁弁と、該電磁弁を電源に導通させるべくオン動作可能であるとともにオフ動作時に前記電磁弁を電源から遮断するスイッチング回路と、該スイッチング回路の制御端子に接続されるとともに前記スイッチング回路をオン動作させるための制御電圧を保持可能な平滑コンデンサと、第１及び第２の出力端子を有するとともに前記第１の出力端子からパルス信号を出力制御可能な制御部と、前記第１の出力端子と前記平滑コンデンサとの間に設けられた微分回路とを備え、該微分回路は前記平滑コンデンサに対して直列に接続されるカップリングコンデンサを有し、前記第１の出力端子からパルス信号が出力されているときは前記微分回路を介して前記平滑コンデンサにパルス状に電流供給を行うことにより前記平滑コンデンサが充電され、前記第１の出力端子からパルス信号が出力されていないときは前記微分回路の前記カップリングコンデンサによって前記第１の出力端子から前記平滑コンデンサへの電流供給が遮断される燃焼機器において、上記目的を達成するために次の技術的手段を講じた。
【００２５】
すなわち、本発明の燃焼機器は、前記制御部の前記第２の出力端子から強制オフ指令が出力されると前記平滑コンデンサを接地させる放電回路をさらに備え、前記制御部は、前記カップリングコンデンサの短絡故障診断処理を実行可能に構成され、該短絡故障診断処理は、前記第１の出力端子から直流信号を出力しつつ前記第２の出力端子から強制オフ指令を出力した後、前記第１の出力端子からの直流信号出力を維持しつつ前記第２の出力端子からの強制オフ指令出力を停止した場合に、前記スイッチング回路がオン動作すると前記カップリングコンデンサの短絡故障であると診断するよう構成されていることを特徴とするものである（請求項１）。
【００２６】
かかる本発明の燃焼機器によれば、放電回路によって平滑コンデンサを接地させることによって平滑コンデンサに充電された電荷を強制的に急速に放電させた後、強制オフ指令出力を停止すると、カップリングコンデンサが短絡故障していれば即座に平滑コンデンサが充電されてスイッチング回路がオン動作することで、極めて短時間の間（例えば数十ミリ秒〜数百ミリ秒）に短絡故障を検出可能となる。したがって、微分回路のカップリングコンデンサの短絡故障診断時間を大きく短縮することができ、電力消費の削減を図ることにより電池寿命の長期化を図ることができる。
【００２７】
上記本発明の燃焼機器において、前記制御部は、所定の電源断条件の成立により自らの電源断処理を行うよう構成され、前記短絡故障診断処理は、前記電源断処理中に実行されるよう構成されていてよい（請求項２）。これによれば、電源断処理に要する時間を大幅に短縮して、電池寿命の長期化を図ることができる。なお、電源断条件は適宜のものであってよく、例えば、ユーザーによる電源オフ操作がなされたことや、ユーザーによる未操作時間が所定の期間以上継続したことなどであってよい。
【００２８】
また、上記本発明の燃焼機器において、前記制御部は、電源投入時の起動処理中に前記短絡故障診断処理を実行するよう構成されていてもよい（請求項３）。これによれば、短絡故障診断時間の大幅な短縮によって、燃焼機器の電源投入時に行ってもユーザーに違和感を感じさせることなく故障診断を行うことができ、使用直前に故障診断を行うことによって機器の動作安定性をより一層向上できる。
【図面の簡単な説明】
【００２９】
【図１】本発明の一実施形態に係る燃焼機器の電磁弁駆動回路の概略回路図である。
【図２】同燃焼機器における微分回路のカップリングコンデンサの短絡故障診断のタイミングチャートである。
【図３】開発段階の燃焼機器の電磁弁駆動回路の概略回路図である。
【図４】同燃焼機器における微分回路のカップリングコンデンサの短絡故障診断のタイミングチャートである。
【発明を実施するための形態】
【００３０】
以下、本発明の実施形態を図面に基づいて説明する。
【００３１】
図１は、本発明の一実施形態に係る燃焼機器の電磁弁駆動回路の概略回路図を示しており、上述した本願出願人による開発段階の燃焼機器と同様の構成については同符号を付して詳細説明を省略し、異なる構成、並びに、動作について説明する。
【００３２】
本実施形態では、マイクロコンピュータ１（制御部）の出力端子として、オープンコレクタ出力端子からなる強制オフ出力端子（第２の出力端子）をさらに備えており、この強制オフ出力端子が第１のスイッチング回路Ｓ１の制御端子３に接続されることによって、強制オフ出力端子から強制オフ指令としてＬｏｗ信号出力がなされると平滑コンデンサＣ１の正極側端子を接地させる放電回路７が構成されている。なお、マイクロコンピュータ１の外部に設けたトランジスタを用いて上記放電回路を構成することも可能である。
【００３３】
かかる回路構成の本実施形態の燃焼機器によれば、以下に説明するように数十ミリ秒程度でほぼ瞬時に微分回路４のカップリングコンデンサＣ２の短絡故障診断を行うことができる。
【００３４】
すなわち、本実施形態のマイクロコンピュータ１による故障診断処理は、次のシーケンスによって実行されるように構成されている。まず、図２に示すように、ウォッチドッグ信号出力端子からＨｉｇｈ信号（直流信号）を出力するとともに、強制オフ出力端子からの強制オフ指令出力をオンする。なお、図２の強制オフ信号の状態は、強制オフ指令オン時（すなわちＬｏｗ信号出力時）を図形の山、強制オフ指令オフ時（すなわちオープン出力時）を図形の谷として図示している。
【００３５】
このとき、微分回路４のカップリングコンデンサＣ２はウォッチドッグ信号出力端子から出力されるＨｉｇｈ信号によって数ミリ秒〜数十ミリ秒程度で満充電される。一方、平滑コンデンサＣ１は、放電回路７によって接地されているために充電されることはない。
【００３６】
あらかじめ試験等によってカップリングコンデンサＣ２が満充電されるまでの時間を計測しておき、カップリングコンデンサＣ２が満充電されるのに十分な時間（例えば数十ミリ秒程度）、強制オフ指令出力を継続した後、ウォッチドッグ信号出力端子からＨｉｇｈ信号の出力させたまま、強制オフ指令出力を停止する。
【００３７】
このとき、カップリングコンデンサＣ２が短絡故障していないならば、カップリングコンデンサＣ２はすでに満充電されていることから、カップリングコンデンサＣ２から平滑コンデンサＣ１への電荷の移動は生じず、したがって、平滑コンデンサの電荷はほぼ０を維持し、スイッチング素子Ｑ１，Ｑ２がオン動作されることもなく、電磁弁チェック入力端子にＨｉｇｈ信号が継続して入力される。
【００３８】
一方、カップリングコンデンサＣ２が短絡故障している場合には、ウォッチドッグ信号出力端子から出力されるＨｉｇｈ信号がカップリングコンデンサＣ２を素通りして平滑コンデンサＣ１に印加されることから、平滑コンデンサＣ１が急速に充電され、即座にスイッチング素子Ｑ１及びＱ２がオン動作して、電磁弁チェック入力端子にＬｏｗ信号が入力されることとなる。ウォッチドッグ出力端子からのＨｉｇｈ信号出力を介ししてから、上記のようにＬｏｗ信号が電磁弁チェック入力端子の入力信号として現れるまでの時間はわずか数十ミリ秒、長くとも数百ミリ秒程度であり、きわめて短時間で瞬間的にカップリングコンデンサＣ２の短絡故障診断を終了することができる。
【００３９】
本発明は上記実施形態に限定されるものではなく、適宜設計変更できる。
【００４０】
例えば、マイクロコンピュータ１はワンチップ上にすべての機能を実装したマイクロプロセッサによって構成することもできるし、ＣＰＵ、メモリ、Ｉ／Ｏ処理部などの複数パーツを基板上に実装することによって構成することもできる。
【００４１】
また、燃焼機器は、電磁弁を複数備えるものであってよく、この場合、各電磁弁毎に上記スイッチング素子Ｑ３並びにマイクロコンピュータ１の電磁弁オン出力端子をそれぞれ設けて、複数のスイッチング素子Ｑ３をスイッチング素子Ｑ１に対して並列に接続することによって、ウォッチドッグ信号による安全回路として機能する第１のスイッチング回路Ｓ１を共用しつつ、各電磁弁毎に個別に開閉動作制御を行うことができる。複数の電磁弁は、例えば、複数の燃焼部毎にそれぞれ設けられた複数の電磁安全弁であってもよいし、電磁安全弁と元ガス電磁弁などの異なる種類の電磁弁であってもよいし、また、一つの元ガス電磁弁に内蔵された吸着弁と保持弁などであってもよい。
【００４２】
また、スイッチング回路Ｓ１は、一つの半導体スイッチング素子によって主構成されるものであってもよいし、３以上の半導体スイッチング素子によって構成されるものであってもよい。
【００４３】
微分回路４は、上記実施形態ではＲＣ直列回路によって例示したが、平滑コンデンサＣ１と直列に接続されるカップリングコンデンサＣ２を備えるものであれば、オペアンプを用いた微分回路などによって構成されていてもよい。
【符号の説明】
【００４４】
１    制御部（マイクロコンピュータ）
２    駆動回路
３    スイッチング回路の制御端子
４    微分回路
７    放電回路
Ｌ    電磁弁
Ｖ    電源（電池）
Ｓ１  スイッチング回路
Ｃ１  平滑コンデンサ
Ｃ２  カップリングコンデンサ
【図１】
0006610204.tif 000002
【図２】
0006610204.tif 000003
【図３】
0006610204.tif 000004
【図４】
0006610204.tif 000005